(57)【特許請求の範囲】
【請求項１】
内部に液を貯留する為の空間（３）を備える本体（Ａ）に対し、その側壁（１）の上部には上記空間内の液を注ぎ出す為に側壁から前方に向けて膨出状に突出させた注ぎ口（Ｂ）を備え、上記注ぎ口（Ｂ）の先端部（９）における上面（14）は、断面形状において上向きで滑らかな曲面に膨出し、先端（10）が滑らかな曲面で低くなる形状にしてある容器において、
上記注ぎ口（Ｂ）の先端部（９）における下面（15）においては、先端（10）から僅かな範囲（30）を残して離れた位置に、撥水性材料製の被膜（20）を備えさせ、上記の僅かな範囲（30）の設定は、そこに液（7i）が付着して残っても、その残る量が水滴となって落下するに至らぬ僅かな量となる小さい範囲で、先端（10）から水平距離（L5）にして約３mmに設定したことを特徴とする容器。
【発明の詳細な説明】
【０００１】
【産業上の利用分野】
本発明は茶やジュース、牛乳などの飲料、或いはソース、しょうゆなどの液状の調味料を注ぐ為の容器に関する。
【０００２】
【従来の技術】
この種の容器は、図１０の（Ｂ）に示す如く内部に液を貯留する為の空間３ｐを備える本体Ａｐに対し、その側壁１ｐの一部に空間内の液を注ぎ出す為の膨出状の注ぎ口Ｂｐを備えさせている。
【０００３】
このような容器にあっては、内部の液を注ぐ場合、図１０の（Ａ）のように容器を傾けると注ぎ口Ｂｐという一定の場所から液を注ぐことが出来るので、思い通りの場所に的確に液を注ぐことが出来る。
【０００４】
【発明が解決しようとする課題】
しかし上記従来の容器では、上記液を注いでいる状態において上記注ぎ口Ｂｐの先端部９ｐの上面１４ｐ上を先端１０ｐに向けて流れていた液は、上記注ぎ出しを終えて容器を水平の状態に戻してくるときに、流れの慣性により上記先端１０ｐに向けて更に前進し、そしてその液は（Ｂ）、（Ｃ）の如く先端１０ｐを下面１５ｐに向けて回り込み、更にその下面１５ｐを伝い降りて本体Ａｐの側壁１ｐを汚したり、或いは更に容器を例えばテーブルＴ上に置いたときにテーブル上面を汚したりする問題点があった。
【０００５】
本願発明の容器は上記従来技術の問題点（技術的課題）を解決する為に提供するものである。
第１の目的は、液を注ぐ場合、容器を傾けることにより注ぎ口から目的の場所に向けて的確に液を注ぐことができる容器を提供することである。
第２の目的は、液の注ぎ出しを終えて容器を水平に戻すときに、液が注ぎ口の先端から注ぎ口の下面に伝い降りることを防止して、容器本体の側壁外面を汚したり、或いは容器をテーブルの上に置いた際にテーブルの上面を汚すことを予め防止できるようにすることである。
他の目的及び利点は図面及びそれに関連した以下の説明により容易に明らかになるであろう。
【０００６】
【課題を解決するための手段】
本願発明における容器は、内部に液を貯留する為の空間３を備える本体Ａに対し、その側壁１の上部には上記空間内の液を注ぎ出す為に側壁から前方に向けて膨出状に突出させた注ぎ口Ｂを備え、上記注ぎ口Ｂの先端部９における上面14は、断面形状において上向きで滑らかな曲面に膨出し、先端10が滑らかな曲面で低くなる形状にしてある容器において、
上記注ぎ口Ｂの先端部９における下面15においては、先端10から僅かな範囲30を残して離れた位置に、撥水性材料製の被膜20を備えさせ、上記の僅かな範囲30の設定は、そこに液7iが付着して残っても、その残る量が水滴となって落下するに至らぬ僅かな量となる小さい範囲で、先端10から水平距離L5にして約３mm以内に設定したものである。
【０００７】
【作用】
容器を注ぎ口の側に傾けると内部の液は膨出状の注ぎ口を通してその先端から流下する。その容器を水平に戻す場合、上記液を注いでいた状態において上記注ぎ口の先端部の上面上を先端に向けて流れていた液は、その流れの慣性により上記先端に向けて更に前進する。しかしその液が先端を下面に向けて回り込みかけても、そこにある発水性材料製の被膜はその液が注ぎ口先端部の下面から離反することを促す。その結果、液は落下する。
【０００８】
【実施例】
以下本願の実施例を示す図面について説明する。容器の一例としてお茶（本件明細書中では、日本人が日常的に飲用する例えば煎茶、緑茶、番茶、焙じ茶、ウーロン茶等をお茶と呼ぶ）を注ぐためのポットを示す図１において、Ａは本体を示し、例えば陶器製であるが、その他にガラス製、金属製など種々のものがある。１〜６はこの種のポットにおいて周知の構成を示し、１は例えば筒状の側壁、２は底、３は本体内部の液貯留用の空間、４は上方の開口部、５は蓋の受座、６は側壁１の一部に形成した液の流出口を示す。尚７は上記空間３に貯留した液として例示する茶の液である。
【０００９】
次にＢは上記本体Ａの側壁の一部に備えさせた注ぎ口を示し、上記流出口６の縁部に滑らかな状態で連続する状態に備えさせている。該注ぎ口Ｂは、液を本体Ａの側壁１よりも離れた位置から流下させる為に図示の如く膨出状即ち側壁の外面から突出する状態に構成している。８は注ぎ口Ｂにおける元部、９は先端部を夫々示す。本件明細書中において上記先端部９とは、該注ぎ口Ｂを通して注ぎ出される液７ａ（図５参照）の、注ぎ口Ｂから離れる場所での流出幅Ｗ１を規定する機能を果たす部分をいい、元部８とは本体Ａ内の液７を上記先端部９に向けてガイドする部分をいう。
【００１０】
上記先端部９の構成を詳細に示す図２〜図５について説明する。１０は注ぎ口Ｂの先端を示し、本体Ａから最も突出している部分をいう。該部分は図２に示すように断面形状において例えば半径Ｒ１が０．８ｍｍ程度の滑らかな曲面に形成している。１１は先端部９においてそこを通って流れる液を下から支える為の受部、１２，１２はその液の側面を規制する為のガイド壁部を夫々示し、受部１１は図４の断面形状において少なくとも水平成分を有する部分（垂直成分を有していても良い）であり、ガイド壁部１２は同じく少なくとも垂直成分を有する部分（水平成分を有していても良い）である。左右のガイド壁部１２は図３の（Ａ）に示すように先端１０の側がすぼまる状態に形成している。図２の１４は先端部９の上面、１５は下面を夫々示す。本件明細書では、容器を水平にした状態（本件明細書中において容器の水平とは底２を水平面上に載置した状態をいう）において単純に水平よりも上方を向く部分を上面１４、下方を向く部分を下面１５と定める。上面１４は図２の断面形状において全体が上向きに膨出する形状にしている。半径Ｒ２は例えば１０ｍｍである。下面１５において、１６は下向きの湾曲部を示し、半径Ｒ３は例えば７ｍｍである。湾曲部１６において最も凹んだ部分１７換言すれば最も高位置となる部分１７と上記先端１０との水平距離Ｌ１は例えば６ｍｍである。１８は下面１５における下向きの膨出部を示し、半径Ｒ４は例えば７ｍｍである。膨出部１８において最も下方に突出した部分１９と上記先端１０との水平距離Ｌ２は例えば２．３ｍｍである。部分１７と部分１９との高さの差Ｈ１は例えば０．４ｍｍである。先端部９の図４に示す断面形状において上面１４の半径Ｒ５は例えば７ｍｍであり、下面１５の半径Ｒ６は例えば１０ｍｍであり、受部１１の図２に示す厚みＴ１は例えば３ｍｍである。図４に示す上面１４の最低部からガイド壁部１２の最高部までの高さＨ２は例えば７ｍｍである。
【００１１】
図２〜図４に示す２０は下面１５に付設した水切り用の被膜を示し、発水性材料製であり、上記下面１５に固着させている。該被膜２０の材料としては、発水性、陶磁器材料に対する密着性や固着性に優れ、食品衛生法に適合し、又耐熱性や耐磨耗性に優れる材料を用いるのがよい。その例として、例えばシリコーン樹脂或いはフッ素樹脂を含む塗布材の内本例では例えば２液性ポリエステルウレタン塗料を用いている。下面１５に対する適用方法は、刷毛塗り、スプレー掛け等の種々の方法の内本例では刷毛塗りを採用している。下面１５に対する適用範囲は、一例として本例では先端１０から下面１５に沿った距離Ｌ３が約５．４ｍｍ、図３に示す先端からの水平距離Ｌ４が約５ｍｍ、幅Ｗ２が１４ｍｍの範囲としている。従って受部１１の下面に位置する部分２１のみならず、ガイド壁部１２の外面に位置する部分２２も含んでいる。被膜２０の厚みは例えば０．２ｍｍである。
【００１２】
次に図１に示すＣは周知の取っ手、Ｄは蓋で、２４は摘み、２５は空気孔を夫々示す。
【００１３】
次に上記ポットから内部の茶の液７を注ぐ場合、取っ手Ｃをもってポットを注ぎ口Ｂの側に傾ける。すると液７は流出口６から注ぎ口Ｂの元部８を通って先端部９に至り、先端部９を通ってその先端１０から図５及び図６の（Ａ）の７ａのように流下する。流下する液７ａは例えば湯飲みに注ぐ。この場合、先端部９の上面１４上を流れる液７ｃは図３に示すように先端１０の側がすぼまる左右のガイド壁部１２によるガイドによって、先端１０に近づくほど狭幅に絞られてくる。従って、図５の如く注ぎ口Ｂの先端部９から流下する液７ａは、先端１０から僅かに離れたところの液７ｂの横幅Ｗ３が最も狭くなり（例えば茶を注ぐときの通常の流量の場合において４ｍｍ程度）、それより下方に至るとやや広くなる。又側方から見た状態では、図６の（Ａ）の如く上記の液７ｂの前後幅Ｗ４が最も広くなる（上記の流量において６ｍｍ程度）。
【００１４】
上記液７の注ぎ出しを終えてポットを水平状態に戻す場合、図６の（Ｂ）の矢印２７のようにポットをやや戻した状態となったところで、図６の（Ａ）の状態において先端部９の上面１４上を流れていた液７ｃの内、その流れの慣性力よりも上面１４の傾斜（本体Ａの側への傾斜）による本体Ａの側への戻り力が勝る部分の液７ｄ（元部８の側に位置する液）は、本体Ａ内に戻る。一方上記液７ｃの内、上記慣性力が上記戻り力に勝る部分の液７ｅは、その慣性力によって更に先端１０に向けて進む。しかし先端１０を越えた下面１５には発水性材料製の被膜２０があるので、そこへさしかかった液は上記被膜２０にはじかれて、下面１５に対する親水性に基づく付着力が著しく減退し、図示の如く水玉７ｆとなって下面１５から離れ落下してしまう。そしてポットを図６の（Ｃ）の矢印２８で示すように水平に戻した状態では、先端部９に液が残ったとしても図示の如き極めて小さな液滴７ｇが残る程度となる。従ってポットの側壁１の外面は何等濡れることのない状態に保たれる。
【００１５】
図７は上記下面１５に対する被膜２０の適用範囲の異なる例を示すものである。本例では、下面１５において先端１０からの水平距離Ｌ５が所定値を越えない範囲３０を残してそれよりも離れた場所３１に被膜２０を適用している。上記範囲３０はそこに液７ｉが付着して残ってもその量が水滴となって落下するに至らぬ僅かな量となる小さい範囲で、上記水平距離Ｌ５にして最大約３ｍｍである。下面１５に沿った距離Ｌ６では約３．４ｍｍである。尚場所３１の長さＬ７は例えば２ｍｍ程度としている。
【００１６】
この構成では、液を流出させていた状態から（Ａ）に矢印３２で示すようにポットをやや戻した状態となったところで、前記実施例の場合と同様に先端部９上の液は本体に戻るものと先端１０に向かうものとに分かれる。この場合、先端１０に向かいその先端１０を越えて下面１５に回り込む液７ｈは、範囲３０においては下面１５に対する親水性に基づく付着力を有する。しかしその液７ｈの内の場所３１の側に向けて進む前部は、場所３１の被膜２０にさしかかると被膜２０の発水性によってはじかれ、上記親水性に基づく付着力を失う。上記範囲３０は比較的狭く設定しており、従ってそこに対する液７ｈの付着力のみでは液７ｈの重量を支えてその付着状態を維持するには至らぬ。その結果、上記液７ｈは落下してしまい、（Ｂ）の矢印３３の如くポットを水平に戻した状態では、範囲３０には付着状態で落下しない程度の少量の液７ｉが残るのみとなる。従ってこの例においてもポットの側壁１の外面は何等濡れることのない状態に保たれる。
【００１７】
次に上記距離Ｌ６と長さＬ７とを種々変更して注ぎ口Ｂから本体の側壁外面への液の伝い降り阻止機能の有無をテストした結果を次の表１に示す。尚表１において、横軸は長さＬ７、縦軸は距離Ｌ６を示す。又○は阻止機能があったもの、×は阻止機能がなかったものを示す。
【００１８】
【表１】
0003623540.tif 000002
【００１９】
次に上記下面１５において上記被膜２０を適用する範囲の幅Ｗ２に関しては、上記前記構成のポットでは、注ぎ口Ｂの先端部９から流出する液７ａの内先端１０から僅かに離れた場所の液７ｂの幅Ｗ３が前述の如く４ｍｍ程度の細幅となるようにしているので、上記幅Ｗ２は先端部９の幅方向の中央部において例えば６ｍｍ程度にしても良い。そのようにしても前述の如く先端１０から下面１５に回り込む液を下面１５から引き離すことができる。
【００２０】
次に図８は上記下面１５のみでなく上面１４にも被膜２０を適用した例を示すものである。このように上面１４にも被膜２０を適用すると、ポットを水平に戻す過程における前記液７ｆの落下をより確実化でき、ポットを水平に戻したときの液だれ防止効果を向上させることができる。
【００２１】
次に上記下面１５と上面１４への被膜２０の適用寸法を種々に変更して上記と同様の液の伝い降り阻止機能をテストした結果を次の表２に示す。尚表２において、横軸は上面１４への適用長さＬ８、縦軸は下面１５への適用長さＬ３を示す。○×は表１と同様である。
【００２２】
【表２】
0003623540.tif 000003
【００２３】
次に図９は注ぎ口の形状の異なる容器の例を示すもので、膨出状注ぎ口の例として筒状の注ぎ口Ｂｍを備える容器（通常急須と称される容器）の例を示すものである。この例においても注ぎ口Ｂｍの先端部９ｍの下面１５ｍに被膜２０ｍを適用することにより、注ぎ口Ｂｍの先端からその元部８ｍや本体Ａｍの側壁１ｍへの液の伝い降りを防止することができる。なお、機能上前図のものと同一又は均等の構成で説明が重複すると考えられる部分には、前図と同一の符号にアルファベットのｍを付して重複する説明を省略した。
【００２４】
【発明の効果】
以上のように本願発明にあっては、注ぎ口Ｂの先端部９における上面14は、断面形状において上向きで滑らかな曲面に膨出し、先端10が滑らかな曲面で低くなる形状にしてあるから、容器を傾け、先端10から液を注ぎ出し、湯飲み茶わんに向けて流下させる場合、湯飲み茶わんに向けて的確に流下させることが出来る。
しかも上記液７の注ぎ出しを終え、液を流出させていた状態から、ポットを戻す状態となったところで、先端部９の上面における山頂においては、殆どの液体は容器本体内に向かって戻るが、僅かな液体は先端10に残る。この場合、先端10に残った僅かな液体は先端10を越えて下面15に回り込む。下面15に回り込んだ液7hは、範囲30においては下面15に対する親水性に基づく付着力を有する。しかしその液7hの内の場所31の側に向けて進む部分は、場所31の被膜20にさしかかると被膜20の撥水性によってはじかれ、上記親水性に基づく付着力を失う。上記範囲30は比較的狭く設定してあると、そこに対する液7hの付着力のみでは液7hの重量を支えてその付着状態を維持するには至らぬ。その結果、上記液7hは湯飲み茶わんに向けて落下してしまい、ポットを水平に戻した状態では、範囲30には付着状態で落下しない程度の少量の液7iが残るのみとなる。この状態では、上記注ぎ口Ｂの先端部９における上面14には、水玉は残らないことになる。
【図面の簡単な説明】
【図１】ポットの縦断面図。
【図２】注ぎ口の先端部における受部の縦断面拡大図。
【図３】（Ａ）は注ぎ口の平面図、（Ｂ）は底面図。
【図４】図３におけるＩＶ−ＩＶ線断面図。
【図５】液の注出状態の正面図。
【図６】（Ａ）は液の注出状態における注ぎ口先端部と液との関係を示す図、（Ｂ）は液の流出が止まるまで容器を戻した状態における注ぎ口先端部と液との関係を示す図、（Ｃ）は容器を水平に戻した状態における注ぎ口先端部と液との関係を示す図。
【図７】（Ａ）は被膜の適用範囲の異なる例における図６の（Ｂ）と同様の状態を示す図、（Ｂ）は同じく図６の（Ｃ）と同様の状態を示す図。
【図８】被膜を上面と下面とに適用した例を示す図２と同様の図。
【図９】注ぎ口の形状の異なる容器の例を示す斜視図。
【図１０】（Ａ）は従来の容器において液を注ぐ状態を示す断面図（部分図）、（Ｂ）は容器を水平に戻した状態を示す断面図、（Ｃ）は（Ｂ）の状態における注ぎ口先端部の拡大図。
【符号の説明】
Ａ  本体
Ｂ  注ぎ口
９  先端部
１５  下面
【図１】
0003623540.tif 000004
【図２】
0003623540.tif 000005
【図３】
0003623540.tif 000006
【図４】
0003623540.tif 000007
【図５】
0003623540.tif 000008
【図６】
0003623540.tif 000009
【図７】
0003623540.tif 000010
【図８】
0003623540.tif 000011
【図９】
0003623540.tif 000012
【図１０】
0003623540.tif 000013